(57)【要約】【課題】バイアスの誤収束を回避できる光伝送装置等を提供する。【解決手段】光伝送装置は、光変調部と、制御部とを有する。光変調部は、光信号を駆動信号で光変調して光変調信号を出力する。制御部は、光変調信号を用いて、光変調部のバイアスを最適点に収束すべく、バイアスをＡＢＣする。制御部は、第１の制御部と、第２の制御部とを有する。第１の制御部は、起動タイミングに応じて、ＱＰＳＫ信号で光変調した光変調信号によるＡＢＣを開始し、バイアスが最適点に収束した際のバイアス値である最適値を取得し、当該ＡＢＣを停止する。第２の制御部は、当該ＡＢＣを停止した後、第１の制御部で取得した最適値を初期値として、Ｎ−ＱＰＳＫ信号で光変調した光変調信号によるＡＢＣを再開する。【選択図】図１
2017188829.tif 000002
【特許請求の範囲】
【請求項１】
光信号を発光する発光部と、駆動信号を生成する生成部と、前記光信号を前記駆動信号で光変調して光変調信号を出力する光変調部と、前記光変調信号を用いて、前記光変調部のバイアスを最適点に収束すべく、前記バイアスを制御する制御部とを有し、
前記制御部は、
起動タイミングに応じて、所定振幅値以上の前記駆動信号を出力すべく、前記生成部を制御する第１の制御部と、
前記所定振幅値以上の前記駆動信号で光変調した前記光変調信号による前記バイアスの制御を開始し、前記バイアスが最適点に収束した際のバイアス値である最適値を取得し、当該バイアスの制御を停止する第２の制御部と、
前記第２の制御部にて前記バイアスの制御を停止した後、前記所定振幅値未満の駆動信号を出力すべく、前記生成部を制御する第３の制御部と、
前記第２の制御部で取得した前記最適値を初期値として、前記所定振幅値未満の前記駆動信号で光変調した前記光変調信号による前記バイアスの制御を再開する第４の制御部と
を有することを特徴とする光伝送装置。
【請求項２】
前記第１の制御部は、
前記起動タイミングに応じて、前記所定振幅値以上の前記駆動信号を、基準ボーレートを下げて出力すべく、前記生成部を制御することを特徴とする請求項１に記載の光伝送装置。
【請求項３】
前記第１の制御部は、
前記起動タイミングに応じて、前記所定振幅値以上の前記駆動信号としてＱＰＳＫ信号を出力すべく、前記生成部を制御し、
前記第２の制御部は、
前記ＱＰＳＫ信号で光変調した前記光変調信号による前記バイアスの制御を開始し、前記バイアスが最適点に収束した際のバイアス値である最適値を取得し、当該バイアスの制御を停止し、
前記第３の制御部は、
前記バイアスの制御を停止した後、前記所定振幅値未満の駆動信号としてＮ−ＱＰＳＫ信号を出力すべく、前記生成部を制御し、
前記第４の制御部は、
前記第２の制御部で取得した前記最適値を初期値として、前記Ｎ−ＱＰＳＫ信号で光変調した前記光変調信号による前記バイアスの制御を再開する
ことを特徴とする請求項１又は２に記載の光伝送装置。
【請求項４】
前記第１の制御部は、
前記起動タイミングに応じて、前記所定振幅値以上の前記駆動信号としてＱＰＳＫ信号を出力すべく、前記生成部を制御し、
前記第２の制御部は、
前記ＱＰＳＫ信号で光変調した前記光変調信号による前記バイアスの制御を開始し、前記バイアスが最適点に収束した際のバイアス値である最適値を取得し、当該バイアスの制御を停止し、
前記第３の制御部は、
前記バイアスの制御を停止した後、前記所定振幅値未満の駆動信号として８ＱＡＭ以上のＱＡＭ信号を出力すべく、前記生成部を制御し、
前記第４の制御部は、
前記第２の制御部で取得した前記最適値を初期値として、前記ＱＡＭ信号で光変調した前記光変調信号による前記バイアスの制御を再開する
ことを特徴とする請求項１又は２に記載の光伝送装置。
【請求項５】
光信号を駆動信号で光変調して光変調信号を出力する光変調部と、前記光変調信号を用いて、前記光変調部のバイアスを最適点に収束すべく、前記バイアスを制御する制御部とを有し、
前記制御部は、
起動タイミングに応じて、所定振幅値以上の前記駆動信号で光変調した前記光変調信号による前記バイアスの制御を開始し、前記バイアスが最適点に収束した際のバイアス値である最適値を取得し、当該バイアスの制御を停止する第１の制御部と、
当該バイアスの制御を停止した後、前記第１の制御部で取得した前記最適値を初期値として、前記所定振幅値未満の前記駆動信号で光変調した前記光変調信号による前記バイアスの制御を再開する第２の制御部と
を有することを特徴とする光変調器。
【請求項６】
光信号を駆動信号で光変調して光変調信号を出力する光変調部と、前記光変調信号を用いて、前記光変調部のバイアスを最適点に収束すべく、前記バイアスを制御する制御部とを有する光伝送装置のバイアス制御方法であって、
前記光伝送装置は、
起動タイミングに応じて、所定振幅値以上の前記駆動信号で光変調した前記光変調信号による前記バイアスの制御を開始し、前記バイアスが最適点に収束した際のバイアス値である最適値を取得し、当該バイアスの制御を停止し、
当該バイアスの制御を停止した後、前記最適値を初期値として、前記所定振幅値未満の前記駆動信号で光変調した前記光変調信号による前記バイアスの制御を再開する
処理を実行することを特徴とするバイアス制御方法。
【発明の詳細な説明】
【技術分野】
【０００１】
本発明は、光伝送装置、光変調器及びバイアス制御方法に関する。
【背景技術】
【０００２】
近年、光伝送装置では、トラフィック需要の増加に応じて周波数利用効率の向上が求められている。そこで、光伝送装置では、駆動信号に電気的フィルタをかけることにより光変調信号を狭帯域化し、周波数の利用効率を高めることができる。
【０００３】
また、光伝送装置では、例えば、１００ＧＨｚコヒーレント光通信システムの主流となるＱＰＳＫ(Quadrature  Phase  Shift  Keying)変調方式の光変調器として、例えば、マッハツェンダ変調器（ＭＺＭ：Mach-Zehnder  Modulator）を採用している。更に、ＭＺＭは、Ｉ（In-phase  channel）アーム及びＱ(Quadrature-phase  channel)アームを有し、出力段の光変調信号を用いてＩアーム及びＱアームのバイアスを最適点に収束すべく、各バイアス値を制御するＡＢＣ（Automatic  Bias  Control）を採用している。
【先行技術文献】
【特許文献】
【０００４】
【特許文献１】特表２０１４−５１６４８０号公報
【特許文献２】特開２０１２−２１７１２７号公報
【特許文献３】特開２０１３−１２７５１９号公報
【特許文献４】特開２０１３−１２６０５０号公報
【特許文献５】特開２００８−０９２１７２号公報
【発明の概要】
【発明が解決しようとする課題】
【０００５】
しかしながら、駆動信号に電気的なフィルタをかけることにより、駆動信号が小さくなるため、ＡＢＣする際の目安となる収束点の数が増え、誤収束してしまう。しかも、収束点は複数あるものの、正しい収束点は１個しかない。
【０００６】
しかも、光変調器では、駆動信号の平均駆動振幅が小さい場合、モニタ感度が低下してバイアスを最適化するまでに時間を要し、その処理負担が大きくなる。つまり、バイアスを最適化するまでには、再度、ＡＢＣを実行し、初期バイアスを変えて起動し直すため、多大な時間を要する。
【０００７】
一つの側面では、バイアスの誤収束を回避する光伝送装置、光変調器及びバイアス制御方法を提供することを目的とする。
【課題を解決するための手段】
【０００８】
一つの態様では、光伝送装置が、発光部と、生成部と、光変調部と、制御部とを有する。発光部は、光信号を発光する。生成部は、駆動信号を生成する。光変調部は、光信号を駆動信号で光変調して光変調信号を出力する。制御部は、光変調信号を用いて、光変調部のバイアスを最適点に収束すべく、バイアスを制御する。制御部は、第１の制御部と、第２の制御部と、第３の制御部と、第４の制御部とを有する。第１の制御部は、起動タイミングに応じて、所定振幅値以上の駆動信号を出力すべく、生成部を制御する。第２の制御部は、所定振幅値以上の駆動信号で光変調した光変調信号によるバイアスの制御を開始し、バイアスが最適点に収束した際のバイアス値である最適値を取得し、当該バイアスの制御を停止する。第３の制御部は、第２の制御部にてバイアスの制御を停止した後、所定振幅値未満の駆動信号を出力すべく、生成部を制御する。第４の制御部は、第２の制御部で取得した最適値を初期値として、所定振幅値未満の駆動信号で光変調した光変調信号によるバイアスの制御を再開する。
【発明の効果】
【０００９】
一つの側面として、バイアスの誤収束を回避できる。
【図面の簡単な説明】
【００１０】
【図１】図１は、実施例１の光伝送装置の一例を示す説明図である。
【図２】図２は、実施例１の光伝送装置の光変調信号を用いて空き帯域でＡＢＣを実行する際の処理の一例を示す説明図である。
【図３】図３は、第１のＡＢＣ処理に関わる光伝送装置内の制御部の処理動作の一例を示すフローチャートである。
【図４】図４は、実施例２の光伝送装置の一例を示す説明図である。
【図５】図５は、実施例２の光伝送装置の光変調信号を用いて空き帯域でＡＢＣを実行する際の処理の一例を示す説明図である。
【図６】図６は、第２のＡＢＣ処理に関わる光伝送装置内の制御部の処理動作の一例を示すフローチャートである。
【図７】図７は、実施例３の光伝送装置の一例を示す説明図である。
【図８】図８は、実施例３の光伝送装置の光変調信号を用いて空き帯域でＡＢＣを実行する際の処理の一例を示す説明図である。
【図９】図９は、第３のＡＢＣ処理に関わる光伝送装置内の制御部の処理動作の一例を示すフローチャートである。
【発明を実施するための形態】
【００１１】
以下、図面に基づいて、本願の開示する、光伝送装置、光変調器及びバイアス制御方法の実施例を詳細に説明する。尚、本実施例により、開示技術が限定されるものではない。以下の各実施例は、適宜、組合せても良い。
【実施例１】
【００１２】
図１は、実施例１の光伝送装置１の一例を示す説明図である。図１に示す光伝送装置１は、ＬＤ（Laser  Diode）２と、生成部３と、駆動部４と、ＭＺＭ５と、ＰＤ（Photo  Diode）６と、ＲＡＭ（Random  Access  Memory）７と、制御部８とを有する。ＬＤ２は、所望の光波長の光信号を発光する発光部である。生成部３は、例えば、ＲＦ（Radio  Frequency）信号等の駆動信号を生成する、例えば、ＲＦ発振器である。駆動信号は、例えば、ＱＰＳＫ（Quadrature  Phase  Shift  Keying）信号やＮ−ＱＰＳＫ(Nyquist-Quadrature  Phase  Shift  Keying)信号等の駆動信号である。
【００１３】
駆動部４は、生成部３からの駆動信号を増幅するドライバ回路である。ＭＺＭ５は、光信号を駆動信号で光変調して光変調信号を出力する光変調部である。ＭＺＭ５は、図示せぬＩアーム及びＱアームを有し、Ｉアームに入力した光信号を駆動信号で光変調することでＩアーム側の光変調信号を生成すると共に、Ｑアームに入力した光信号を駆動信号で光変調することでＱアーム側の光変調信号を生成する。更に、ＭＺＭ５は、Ｉアーム側の光変調信号とＱアーム側の光変調信号とを合成して光変調信号を出力する。
【００１４】
ＰＤ６は、ＭＺＭ５の出力段に配置し、ＭＺＭ５の出力である光変調信号を受光する受光部である。ＲＡＭ７は、各種情報を記憶する領域である。制御部８は、光伝送装置１全体を制御する。制御部８は、ＡＢＣを実行する。制御部８は、ＰＤ６で受光した光変調信号を用いてＭＺＭ５のバイアスを最適点に収束すべく、例えば、Ｉアーム及びＱアームの各バイアス値を制御する。
【００１５】
制御部８は、第１の制御部１１と、第２の制御部１２と、第３の制御部１３と、第４の制御部１４とを有する。第１の制御部１１は、光伝送装置１の起動タイミングに応じて、所定振幅値以上の駆動信号を出力すべく、生成部３を制御する。起動タイミングは、例えば、光伝送装置１にて新規の光変調信号を追加する際のタイミングである。所定振幅値以上の駆動信号は、例えば、２ｖπの駆動振幅値の駆動信号、例えば、ＱＰＳＫ信号である。尚、所定振幅値は、例えば、２ｖπの６０％以上の駆動振幅値である。
【００１６】
第２の制御部１２は、ＱＰＳＫ信号で光変調した光変調信号によるＡＢＣを開始し、ＡＢＣで各バイアスが最適点に収束した際のバイアス値、すなわち最適値を取得し、ＡＢＣを停止する。そして、第２の制御部１２は、取得した最適値をＲＡＭ７内に記憶する。第３の制御部１３は、ＱＰＳＫ信号で光変調した光変調信号によるＡＢＣを停止した後、所定振幅値未満の駆動信号を出力すべく、生成部３を制御する。所定振幅値未満の駆動信号は、例えば、Ｎ−ＱＰＳＫ信号である。
【００１７】
第４の制御部１４は、ＲＡＭ７に記憶中の最適値、すなわちＱＰＳＫ信号で光変調した光変調信号によるＡＢＣで得た最適値をＡＢＣの初期値とし、Ｎ−ＱＰＳＫ信号で光変調した光変調信号によるＡＢＣを再開する。その結果、光伝送装置１は、Ｎ−ＱＰＳＫ信号で光変調した光変調信号によるＡＢＣを再開するため、Ｎ−ＱＰＳＫ信号で光変調した光変調信号を出力する際のＭＺＭ５のバイアス値を最適化できる。
【００１８】
次に実施例１の光伝送装置１の動作について説明する。図２は、実施例１の光伝送装置１の光変調信号を用いて空き帯域でＡＢＣを実行する際の処理の一例を示す説明図である。図２に示すネットワークの運用帯域は、例えば、５０ＧＨｚの周波数間隔で光変調信号を配置し、帯域幅が５０ＧＨｚの空き帯域が存在したとする。そして、光伝送装置１は、５０ＧＨｚの空き帯域にＮ−ＱＰＳＫ信号で光変調した光変調信号を追加配置するものとする。尚、３２ＧボードのＱＰＳＫ信号で光変調した光変調信号は５０ＧＨｚの周波数間隔であるのに対し、Ｎ−ＱＰＳＫ信号で光変調した光変調信号は、例えば、３７．５ＧＨｚの周波数間隔とする。この際、制御部８は、起動タイミングに応じて、ＱＰＳＫ信号で光変調した光変調信号を用いて空き帯域でＡＢＣを開始する。空き帯域幅が５０ＧＨｚの場合、ＱＰＳＫ信号で光変調した光変調信号を用いて空き帯域でＡＢＣが実行できるため、光変調信号による隣接信号とのクロストークを防止できる。
【００１９】
図３は、第１のＡＢＣ処理に関わる光伝送装置１内の制御部８の処理動作の一例を示すフローチャートである。第１のＡＢＣ処理は、起動タイミング時にＱＰＳＫ信号で光変調した光変調信号によるＡＢＣで最適値を取得し、その最適値を初期値にして、Ｎ−ＱＰＳＫ信号で光変調した光変調信号によるＡＢＣを再開する処理である。
【００２０】
図３において制御部８内の第１の制御部１１は、光伝送装置１の起動タイミングを検出したか否かを判定する（ステップＳ１１）。第１の制御部１１は、起動タイミングを検出した場合（ステップＳ１１肯定）、ＱＰＳＫ信号を出力すべく、生成部３を制御する（ステップＳ１２）。その結果、ＭＺＭ５は、ＱＰＳＫ信号で光信号を光変調した光変調信号を出力する。
【００２１】
制御部８内の第２の制御部１２は、ＰＤ６で検出したＱＰＳＫ信号で光変調した光変調信号によるＡＢＣを開始する（ステップＳ１３）。第２の制御部１２は、ＱＰＳＫ信号で光変調した光変調信号によるＡＢＣを開始した後、ＡＢＣで最適値を取得する（ステップＳ１４）。第２の制御部１２は、ＡＢＣで最適値を取得した場合、取得した最適値をＲＡＭ７に記憶し（ステップＳ１５）、ＡＢＣを停止する（ステップＳ１６）。
【００２２】
制御部８内の第３の制御部１３は、ＡＢＣの停止後、ＱＰＳＫ信号からＮ−ＱＰＳＫ信号に変更すべく、生成部３を制御する（ステップＳ１７）。第３の制御部１３は、Ｎ−ＱＰＳＫ信号を出力すべく、生成部３を制御する（ステップＳ１８）。第３の制御部１３は、ＲＡＭ７に記憶中の最適値をＡＢＣの初期値に設定し（ステップＳ１９）、Ｎ−ＱＰＳＫ信号で光変調した光変調信号によるＡＢＣを再開し（ステップＳ２０）、図３に示す処理動作を終了する。その結果、ＱＰＳＫ信号で光変調した光変調信号で得た最適値を初期値として設定するため、Ｎ−ＱＰＳＫ信号で光変調した光変調信号を出力する際のＭＺＭ５のバイアスの最適化に要する処理時間を短縮化できる。
【００２３】
第１のＡＢＣ処理を実行する制御部８は、起動タイミング時にＱＰＳＫ信号で光変調した光変調信号によるＡＢＣを開始し、ＡＢＣで得た最適値を取得し、ＡＢＣを停止する。更に、制御部８は、取得した最適値をＡＢＣの初期値に設定し、Ｎ−ＱＰＳＫ信号で光変調した光変調信号によるＡＢＣを再開する。その結果、Ｎ−ＱＰＳＫ信号で光変調した光変調信号によるＡＢＣを実行する際にＱＰＳＫ信号の光変調信号によるＡＢＣで得た最適値を使用するため、Ｎ−ＱＰＳＫ信号で光変調した光変調信号を出力する際のＭＺＭ５のバイアスの最適化に要する処理負担が軽減できる。
【００２４】
実施例１の光伝送装置１は、ＱＰＳＫ信号で光変調した光変調信号によるＡＢＣで得た最適値を初期値にし、Ｎ−ＱＰＳＫ信号で光変調した光変調信号によるＡＢＣを再開する。その結果、Ｎ−ＱＰＳＫ信号で光変調した光変調信号を出力する際のＭＺＭ５のバイアス最適化に要する処理負担を軽減できる。Ｎ−ＱＰＳＫ信号で光変調する際のＭＺＭ５のバイアス最適化に要する処理時間を短縮できる。しかも、ＭＺＭ５の各バイアスを最適点に引き込むことで、誤引き込みを回避できる。つまり、ＱＰＳＫ信号による収束点は１個なので、短時間で、かつ確実にバイアスを最適点へ収束できる。
【００２５】
尚、上記実施例１では、起動タイミング時に帯域幅が５０ＧＨｚの空き帯域でＱＰＳＫ信号の光変調信号によるＡＢＣを実行した。しかしながら、ボーレートを落としたＱＰＳＫ信号を使用しても良く、この場合の実施の形態につき、実施例２として以下に説明する。
【実施例２】
【００２６】
図４は、実施例２の光伝送装置１Ａの一例を示す説明図である。尚、図１に示す光伝送装置１と同一の構成には同一符号を付すことで、その重複する構成及び動作の説明については省略する。図４に示す光伝送装置１Ａと図１に示す光伝送装置１とが異なるところは、第１の制御部１１の代わりに、第５の制御部１５を設けた点にある。第５の制御部１５は、起動タイミングに応じてＱＰＳＫ信号で光変調した光変調信号の帯域幅が空き帯域を超えているか否かを判定する。第５の制御部１５は、ＱＰＳＫ信号で光変調した光変調信号の帯域幅が空き帯域を超えている場合に、ＱＰＳＫ信号のボーレートを下げてボーレート調整後のＱＰＳＫ信号を出力すべく、生成部３を制御する。ＱＰＳＫ信号のボーレートを下げる処理とは、例えば、３２Ｇボーレートから１６Ｇボーレートに下げる処理である。
【００２７】
第２の制御部１２は、１６ＧボーレートのＱＰＳＫ信号の光変調信号によるＡＢＣを開始し、このＡＢＣで得た最適値を取得し、取得した最適値をＲＡＭ７に記憶する。第２の制御部１２は、１６ＧボーレートのＱＰＳＫ信号で光変調した光変調信号によるＡＢＣを停止する。
【００２８】
第３の制御部１３は、１６ＧボーレートのＱＰＳＫ信号で光変調した光変調信号によるＡＢＣを停止した後、Ｎ−ＱＰＳＫ信号を出力すべく、生成部３を制御する。第４の制御部１４は、ＲＡＭ７に記憶中の最適値をＡＢＣの初期値とし、Ｎ−ＱＰＳＫ信号で光変調した光変調信号によるＡＢＣを再開する。その結果、光伝送装置１Ａは、Ｎ−ＱＰＳＫ信号で光変調した光変調信号によるＡＢＣを再開するため、Ｎ−ＱＰＳＫ信号の光変調信号を出力する際のＭＺＭ５のバイアスを最適化できる。
【００２９】
次に実施例２の光伝送装置１Ａの動作について説明する。図５は、実施例２の光伝送装置１Ａの光変調信号を用いて空き帯域でＡＢＣを実行する際の処理の一例を示す説明図である。図５に示すネットワークの運用帯域は、例えば、５０ＧＨｚ未満の周波数間隔で光変調信号を配置し、帯域幅が５０ＧＨｚ未満の空き帯域が存在したとする。そして、光伝送装置１Ａは、５０ＧＨｚ未満の空き帯域にＮ−ＱＰＳＫ信号で光変調した光変調信号を追加配置するものとする。この際、制御部８は、起動タイミングに応じて、ＱＰＳＫ信号で光変調した光変調信号が空き帯域を超えているため、ＱＰＳＫ信号のボーレートを下げ、ボーレート調整後のＱＰＳＫ信号で光変調した光変調信号を用いて空き帯域でＡＢＣを開始する。その結果、空き帯域幅が５０ＧＨｚ未満の場合でも、ボーレート調整後のＱＰＳＫ信号で光変調した光変調信号によるＡＢＣを実行できるため、光変調信号による隣接信号とのクロストークを防止できる。
【００３０】
図６は、第２のＡＢＣ処理に関わる光伝送装置１Ａ内の制御部８の処理動作の一例を示すフローチャートである。図６において光伝送装置１Ａ内の第５の制御部１５は、起動タイミングを検出したか否かを判定する（ステップＳ２１）。第５の制御部１５は、起動タイミングを検出した場合（ステップＳ２１肯定）、ＱＰＳＫ信号で光変調した光変調信号の帯域幅が空き帯域を超えているか否かを判定する（ステップＳ２２）。
【００３１】
第５の制御部１５は、ＱＰＳＫ信号で光変調した光変調信号の帯域幅が空き帯域を超えている場合（ステップＳ２２肯定）、ＱＰＳＫ信号のボーレートを下げるべく、生成部３を制御する（ステップＳ２３）。尚、第５の制御部１５は、３２ＧボーレートのＱＰＳＫ信号を１６Ｇボーレートに下げる。第５の制御部１５は、ボーレート調整後のＱＰＳＫ信号を出力すべく、生成部３を制御する（ステップＳ２４）。
【００３２】
第２の制御部１２は、ボーレート調整後のＱＰＳＫ信号で光変調した光変調信号によるＡＢＣを開始する（ステップＳ２５）。つまり、５０ＧＨｚ未満の空き帯域で光変調信号によるＡＢＣを実行できる。第２の制御部１２は、ＡＢＣで最適値を取得する（ステップＳ２６）。第２の制御部１２は、ＡＢＣで最適値を取得した場合、最適値をＲＡＭ７に記憶する（ステップＳ２７）。第２の制御部１２は、最適値をＲＡＭ７に記憶した後、ボーレート調整後のＱＰＳＫ信号で光変調した光変調信号によるＡＢＣを停止する（ステップＳ２８）。
【００３３】
第３の制御部１３は、ＡＢＣの停止後、ＱＰＳＫ信号をＮ−ＱＰＳＫ信号に変更すべく、生成部３を制御する（ステップＳ２９）。尚、Ｎ−ＱＰＳＫ信号のボーレートは３２Ｇである。第３の制御部１３は、Ｎ−ＱＰＳＫ信号を出力すべく、生成部３を制御する（ステップＳ３０）。第３の制御部１３は、ＲＡＭ７に記憶中の最適値をＡＢＣの初期値に設定し（ステップＳ３１）、Ｎ−ＱＰＳＫ信号で光変調した光変調信号によるＡＢＣを再開し（ステップＳ３２）、図６に示す処理動作を終了する。その結果、ＱＰＳＫ信号で光変調した光変調信号で得た最適値を初期値として設定するため、Ｎ−ＱＰＳＫ信号で光変調した光変調信号を出力する際のＭＺＭ５のバイアスの最適化に要する処理時間を短縮化できる。
【００３４】
第５の制御部１５は、ＱＰＳＫ信号で光変調した光変調信号の帯域幅が空き帯域を超えていない場合（ステップＳ２２否定）、３２ＧボーレートのＱＰＳＫ信号を出力すべく、生成部３を制御し（ステップＳ３３）、ステップＳ２５に移行する。
【００３５】
第２のＡＢＣ処理を実行する制御部８は、起動タイミング時にＱＰＳＫ信号で光変調した光変調信号の帯域幅が空き帯域を超えている場合にＱＰＳＫ信号のボーレートを下げ、ボーレート調整後のＱＰＳＫ信号で光変調した光変調信号によるＡＢＣを開始する。更に、制御部８は、ＡＢＣで得た最適値を取得し、ＡＢＣを停止する。更に、制御部８は、最適値をＡＢＣの初期値に設定し、Ｎ−ＱＰＳＫ信号で光変調した光変調信号によるＡＢＣを再開する。その結果、ＱＰＳＫ信号で光変調した光変調信号の帯域幅が空き帯域を超えている場合でも、ＱＰＳＫ信号のボーレートを下げることで、ＱＰＳＫ信号で光変調した光変調信号によるＡＢＣを実行できる。そして、ＱＰＳＫ信号で光変調した光変調信号によるＡＢＣで得た最適値を使用するため、Ｎ−ＱＰＳＫ信号で光変調した光変調信号を出力する際のＭＺＭ５のバイアスの最適化に要する処理負担が軽減できる。
【００３６】
実施例２の光伝送装置１Ａは、起動タイミング時にＱＰＳＫ信号で光変調した光変調信号の帯域幅が空き帯域を超えている場合にＱＰＳＫ信号のボーレートを下げ、ボーレート調整後のＱＰＳＫ信号で光変調した光変調信号によるＡＢＣを開始する。更に、制御部８は、ＡＢＣで得た最適値を取得し、ＡＢＣを停止する。更に、制御部８は、最適値をＡＢＣの初期値に設定し、Ｎ−ＱＰＳＫ信号で光変調した光変調信号によるＡＢＣを再開する。その結果、ＱＰＳＫ信号で光変調した光変調信号が空き帯域を超えている場合でも、ＱＰＳＫ信号のボーレートを下げることで、ＱＰＳＫ信号で光変調した光変調信号によるＡＢＣを実行できる。そして、ＱＰＳＫ信号で光変調した光変調信号によるＡＢＣで得た最適値を使用するため、Ｎ−ＱＰＳＫ信号で光変調した光変調信号を出力する際のＭＺＭ５のバイアスの最適化に要する処理負担が軽減できる。起動タイミング時にボーレートを下げたＱＰＳＫ信号で光変調した光変調信号によるＡＢＣを実行するため、波長間隔が狭い場合でも、隣接信号へのクロストークを抑制できる。
【００３７】
尚、第５の制御部１５では、起動タイミング時にＱＰＳＫ信号で光変調した光変調信号の帯域幅が空き帯域を超えている場合にＱＰＳＫ信号のボーレートを３２Ｇボーレートから１６Ｇボーレートに下げた。しかしながら、１６Ｇボーレートに限定されるものではなく、３２Ｇボーレートから８Ｇボーレートに下げるようにしても良い。
【００３８】
また、第５の制御部１５では、起動タイミング時にＱＰＳＫ信号で光変調した光変調信号の帯域幅が空き帯域を超えている場合にＱＰＳＫ信号のボーレートを下げるようにした。しかしながら、第５の制御部１５は、起動タイミング時にＱＰＳＫ信号で光変調した光変調信号の帯域幅が空き帯域を超えているか否かに関係なく、ＱＰＳＫ信号のボーレートを下げても良い。
【００３９】
尚、上記実施例１では、起動タイミング時に帯域幅５０ＧＨｚの空き帯域でＱＰＳＫ信号の光変調信号によるＡＢＣを実行した。運用帯域中の空き帯域を検索し、その空き帯域で、ＱＰＳＫ信号で光変調した光変調信号によるＡＢＣを実行するようにしても良く、この場合の実施の形態につき、実施例３として以下に説明する。
【実施例３】
【００４０】
図７は、実施例３の光伝送装置１Ｂの一例を示す説明図である。尚、図１に示す光伝送装置１と同一の構成には同一符号を付すことで、その重複する構成及び動作の説明については省略する。図７に示す光伝送装置１Ｂと図１に示す光伝送装置１とが異なるところは、第１の制御部１１の代わりに、第６の制御部１６を設けた点にある。第６の制御部１６は、起動タイミングに応じて、ＱＰＳＫ信号で光変調した光変調信号が配置できる空き帯域を検出したか否かを判定する。第６の制御部１６は、ＱＰＳＫ信号で光変調した光変調信号が配置できる空き帯域を検出した場合、空き帯域の光波長の光信号を出力すべく、ＬＤ２を制御すると共に、ＱＰＳＫ信号を出力すべく、生成部３を制御する。
【００４１】
第２の制御部１２は、ＱＰＳＫ信号で光変調した光変調信号によるＡＢＣを開始し、ＡＢＣで各バイアスが最適点に収束した際のバイアス値、すなわち最適値を取得し、ＡＢＣを停止する。第２の制御部１２は、取得した最適値をＲＡＭ７内に記憶する。
【００４２】
第３の制御部１３は、ＱＰＳＫ信号で光変調した光変調信号によるＡＢＣを停止した後、ＬＤ２の光波長をλ２に変え、Ｎ−ＱＰＳＫ信号を出力すべく、生成部３を制御する。第４の制御部１４は、ＲＡＭ７に記憶中の最適値、すなわちＱＰＳＫ信号で光変調した光変調信号によるＡＢＣで得た最適値をＡＢＣの初期値とし、Ｎ−ＱＰＳＫ信号で光変調した光変調信号によるＡＢＣを再開する。その結果、光伝送装置１Ｂは、Ｎ−ＱＰＳＫ信号で光変調した光変調信号によるＡＢＣを再開するため、Ｎ−ＱＰＳＫ信号で光変調した光変調信号を出力する際のＭＺＭ５のバイアス値を最適化できる。
【００４３】
次に実施例３の光伝送装置１Ｂの動作について説明する。図８は、実施例３の光伝送装置１Ｂの光変調信号を用いて空き帯域でＡＢＣを実行する際の処理の一例を示す説明図である。図８に示すネットワークの運用帯域は、例えば、５０ＧＨｚ未満の周波数間隔で光変調信号を配置し、帯域幅が５０ＧＨｚ未満の空き帯域が存在したとする。そして、光伝送装置１Ｂは、５０ＧＨｚ未満の空き帯域にＮ−ＱＰＳＫ信号で光変調した光変調信号を追加配置するものとする。この際、第６の制御部１６は、起動タイミングに応じて、ＱＰＳＫ信号で光変調した光変調信号の帯域幅が空き帯域を超えているため、空き帯域を検索する。第６の制御部１６は、空き帯域の光波長λ１の光信号を出力すべく、ＬＤ２を制御する。そして、第６の制御部１６は、ＱＰＳＫ信号で光変調した光変調信号によるＡＢＣを開始する。その結果、運用帯域中の端の空き帯域に、ＱＰＳＫ信号で光変調した光変調信号によるＡＢＣを実行できるため、光変調信号による隣接信号とのクロストークを防止できる。
【００４４】
図９は、第３のＡＢＣ処理に関わる光伝送装置１Ｂ内の制御部８の処理動作の一例を示すフローチャートである。第３のＡＢＣ処理は、起動タイミング時に運用帯域から空き帯域を検出し、この空き帯域にＱＰＳＫ信号で光変調した光変調信号によるＡＢＣで最適値を取得し、最適値をＡＢＣの初期値にして、Ｎ−ＱＰＳＫ信号で光変調した光変調信号によるＡＢＣを再開する処理である。
【００４５】
図９において制御部８内の第６の制御部１６は、光伝送装置１Ｂの起動タイミングを検出したか否かを判定する（ステップＳ１１）。第６の制御部１６は、起動タイミングを検出した場合（ステップＳ１１肯定）、運用帯域から空き帯域を検出したか否かを判定する（ステップＳ４１）。
【００４６】
第６の制御部１６は、運用帯域から空き帯域を検出した場合（ステップＳ４１肯定）、空き帯域の光波長の光信号を出力すべく、ＬＤ２を制御する（ステップＳ４２）。第６の制御部１６は、空き帯域の光波長の光信号を出力すべく、ＬＤ２を制御した後、ＱＰＳＫ信号を出力すべく、ステップＳ１２に移行する。第６の制御部１６は、空き帯域を検出しなかった場合（ステップＳ４１否定）、図９に示す処理動作を終了する。
【００４７】
第３のＡＢＣ処理を実行する制御部８は、起動タイミング時に運用帯域から空き帯域を検出した場合に空き帯域の光波長の光信号を設定し、更に、ＱＰＳＫ信号で光変調した光変調信号によるＡＢＣを開始する。更に、制御部８は、ＡＢＣで得た最適値を取得し、ＡＢＣを停止する。更に、制御部８は、取得した最適値をＡＢＣの初期値に設定し、Ｎ−ＱＰＳＫ信号で光変調した光変調信号によるＡＢＣを再開する。その結果、Ｎ−ＱＰＳＫ信号で光変調した光変調信号によるＡＢＣを実行する際にＱＰＳＫ信号の光変調信号によるＡＢＣで得た最適値を使用するため、Ｎ−ＱＰＳＫ信号で光変調した光変調信号を出力する際のＭＺＭ５のバイアスの最適化に要する処理負担が軽減できる。
【００４８】
実施例３の光伝送装置１Ｂは、起動タイミング時に運用帯域から空き帯域を検出した場合に空き帯域の光波長の光信号を設定し、更に、ＱＰＳＫ信号で光変調した光変調信号によるＡＢＣを開始する。更に、光伝送装置１Ｂは、ＡＢＣで得た最適値を取得し、ＡＢＣを停止する。更に、光伝送装置１Ｂは、取得した最適値をＡＢＣの初期値に設定し、Ｎ−ＱＰＳＫ信号で光変調した光変調信号によるＡＢＣを再開する。その結果、ＭＺＭ５のバイアス最適化に要する処理負担を軽減できる。
【００４９】
上記実施例では、初期段階でＱＰＳＫ信号で光変調した光変調信号によるＡＢＣを実行することでＭＺＭ５の最適値を取得し、取得した最適値を初期値に設定してＮ−ＱＰＳＫ信号で光変調した光変調信号によるＡＢＣを実行する場合を例示した。しかしながら、Ｎ−ＱＰＳＫ信号で光変調した光変調信号によるＡＢＣを実行する場合に限定されるものではなく、例えば、３２ＱＡＭ、１６ＱＡＭや８ＱＡＭで光変調した光変調信号によるＡＢＣを実行する場合にも適用可能である。
【００５０】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００５１】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００５２】
１  光伝送装置
２  ＬＤ
３  生成部
５  ＭＺＭ
８  制御部
１１  第１の制御部
１２  第２の制御部
１３  第３の制御部
１４  第４の制御部
１５  第５の制御部
１６  第６の制御部  
【図１】
2017188829.tif 000003
【図２】
2017188829.tif 000004
【図３】
2017188829.tif 000005
【図４】
2017188829.tif 000006
【図５】
2017188829.tif 000007
【図６】
2017188829.tif 000008
【図７】
2017188829.tif 000009
【図８】
2017188829.tif 000010
【図９】
2017188829.tif 000011